(57)【要約】【課題】紙継装置と印刷機と巻取体において、ウェブを適正に継ぐことで紙継作業の円滑化を図る。【解決手段】第１巻取体Ｒ１から引き出されて走行するウェブＷ１を、回転する第２巻取体Ｒ２の外周面に押し付けて紙継ぎを行う紙継装置２１にて、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能なエアシリンダ５３と、第２巻取体Ｒ２から受ける衝撃によるペースターローラ４５のはねを抑制する跳ね抑制手段としてのダンパ装置５６を設ける。【選択図】      図１
2008214049.tif 000002
【特許請求の範囲】
【請求項１】
第１巻取体から引き出されて走行するウェブを、回転する第２巻取体の外周面に押し付けて紙継ぎを行う紙継装置において、前記第２巻取体の外周面に前記第１巻取体からのウェブを押付可能な押付部材と、該押付部材を前記第２巻取体の外周面から離間した待機位置と押し付ける押付位置との間で移動可能なローラ移動手段と、前記第２巻取体から受ける衝撃による前記押付部材のはねを抑制する跳ね抑制手段とを具えたことを特徴とする紙継装置。
【請求項２】
請求項１に記載の紙継装置において、前記第２巻取体の外周面に凹凸部が存在するとき、前記跳ね抑制手段は、前記凹凸部が前記押付部材に接触するときに前記第２巻取体から受ける衝撃による前記押付部材のはねを抑制することを特徴とする紙継装置。
【請求項３】
請求項１または２に記載の紙継装置において、基端部がフレームに回動自在に支持された押付アームに前記押付部材が回転自在に支持され、前記ローラ移動手段は、前記押付アームを回動可能な流体シリンダを有することを特徴とする紙継装置。
【請求項４】
請求項１から３のいずれか一つに記載の紙継装置において、前記跳ね抑制手段は、ダンパ装置を有することを特徴とする紙継装置。
【請求項５】
請求項１から３のいずれか一つに記載の紙継装置において、前記ローラ移動手段は、油圧シリンダを有し、前記跳ね抑制手段は、前記油圧シリンダに連結されたエアハイドロユニットを有することを特徴とする紙継装置。
【請求項６】
請求項１から３のいずれか一つに記載の紙継装置において、前記跳ね抑制手段は、前記第２巻取体における外周面の凹凸度合から仮想外周面を設定する仮想外周面設定手段と、前記ローラ移動手段により移動する前記押付部材を前記仮想外周面から所定の押付力が発生する押込み量を考慮した押付位置に位置決めする位置決め手段を有することを特徴とする紙継装置。
【請求項７】
請求項１から３のいずれか一つに記載の紙継装置において、前記跳ね抑制手段は、前記ローラ移動手段により移動する前記押付部材を前記第２巻取体の外周面との押付位置に位置決めする位置決め手段と、前記押付位置に位置決めされた前記押付部材の前記第２巻取体の径方向の微小移動を許容する吸収機構を有することを特徴とする紙継装置。
【請求項８】
請求項１から７のいずれか一つに記載の紙継装置において、前記第２巻取体は、周方向における最大半径位置から前記ウェブの引き出し方向の上流側に予め設定された所定距離離間した表面に紙継部が設けられることを特徴とする紙継装置。
【請求項９】
第１巻取体から引き出されたウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帳を形成する折り装置と、該折り装置により折り畳まれた印刷物を排出する排紙装置を具えた印刷機において、前記給紙装置は、第２巻取体の外周面に第１巻取体からのウェブを押付可能な押付部材と、該押付部材を前記第２巻取体の外周面から離間した待機位置と押し付ける押付位置との間で移動可能なローラ移動手段と、前記第２巻取体から受ける衝撃による前記押付部材のはねを抑制する跳ね抑制手段とを有する紙継装置を設けたことを特徴とする印刷機。
【請求項１０】
ウェブが巻き取られて構成される巻取体において、周方向における最大半径位置から前記ウェブの引き出し方向の上流側に予め設定された所定距離離間した表面に紙継部が設けられることを特徴とする巻取体。
【発明の詳細な説明】
【技術分野】
【０００１】
本発明は、第１巻取体から引き出されて走行するウェブを、回転する第２巻取体の外周面に押し付けて紙継ぎを行う紙継装置、並びに、この紙継装置を給紙装置に設けた印刷機、また、紙継装置及び印刷機に使用される巻取体に関するものである。
【背景技術】
【０００２】
一般に、オフセット輪転印刷機は、給紙装置と印刷装置と乾燥装置と冷却装置とウェブパス装置と折り装置と排紙装置とから構成されている。給紙装置は、２つの巻取体（ウェブロール）が装着されるリールスタンドを有しており、一方の巻取体から引き出されて走行しているウェブを、他方の巻取体のウェブに接続することで、連続的にウェブを供給可能な紙継装置を有している。印刷装置は、一般的にブラック、シアン、レッド、イエローの４色それぞれに対応した４組の印刷ユニットがウェブ走行方向に沿って並設されている。乾燥装置は、印刷装置により印刷が施されたウェブ上のインキを乾燥させるためのものであり、冷却装置は、乾燥装置での乾燥後の過剰な熱を蓄えるウェブを適当な温度まで冷却するものである。ウェブパス装置は、乾燥されて冷却されたウェブを搬送するものであり、折り装置は、ウェブを縦折りされた後に裁断し、所定の大きさに折り畳んで折帳を形成するものであり、排紙装置は、折り畳まれた折帳を機外へ搬出するものである。
【０００３】
従って、給紙装置により巻取体からロール状のウェブが引き出され、印刷装置における各印刷ユニットにより多色印刷が施され、印刷されたウェブは、乾燥装置でインキが乾燥され、冷却装置で冷却され、ウェブパス装置を経て搬送された折り装置により折帳が作成され、排紙装置により搬出される。
【０００４】
このようなオフセット輪転印刷機にて、給紙装置は、上述した紙継装置を有している。この紙継装置は、一方の巻取体から引き出されて走行しているウェブを、他方の巻取体のウェブに接続することで、連続的にウェブを供給可能とするものである。従来の紙継装置としては、下記特許文献１に記載されたものがある。
【０００５】
この特許文献１の記載された紙継装置は、１つのウェブ巻取体から引き出されて走行するウェブを、このウェブの走行速度と略同じ周面速度で駆動回転されるウェブ巻取体の周面に押し付ける押付け部材と、押付け部材を押し付け動作させてウェブをウェブ巻取体の周面に押し付ける押付け手段と、押付け手段による押し付け動作で連動する部材の動作方向に対向して設けられ、ウェブをウェブ巻取体の周面に押し付けるときの衝撃を緩和可能な少なくとも１つの衝撃緩和手段を有するものである。
【０００６】
【特許文献１】特開２００３−２０１０４８号公報
【発明の開示】
【発明が解決しようとする課題】
【０００７】
上述した従来の紙継装置は、エアシリンダにより押付アームを変位し、押付ローラ（ブラシローラ）により走行しているウェブを巻取体の外周面に押し付け、貼着部を用いてウェブを巻取体に接続し、この巻取体からウェブが引き出されてから、カッタが走行中のウェブを切断することで紙継ぎが完了する。ところで、押付ローラの移動により、走行しているウェブを新巻取体の外周面に押し付けるとき、この押付ローラは、その接触による反発力で弾き飛ばされ、巻取体の外周面に対して押付ローラによるウェブの押し付けが不十分となり、紙継ぎを行うことができないことがある。
【０００８】
また、上述した巻取体は、ウェブがロール状に巻き取られて形成されたものであり、必ずしも外周面が真円形状とならずに若干の凹凸が発生する。そのため、押付ローラが走行しているウェブを巻取体の外周面に押し付けているとき、巻取体の凹凸部が押付ローラに至ると、この押付ローラは、その凹凸部による接触で弾き飛ばされ、巻取体の外周面に対して押付ローラによるウェブの押し付けが不十分となり、紙継ぎを行うことができないことがある。
【０００９】
上述した特許文献１に記載された紙継装置では、ブラシローラの移動に伴い、ブラシローラを支持している押付けアームの外周面が移動し、衝撃緩和手段であるエアシリンダの伸長している出力ロッドの先端を押し、出力ロッドを縮退させることで、ブラシローラと巻取体の外周面との衝突による衝撃力を緩和している。そのため、押付ローラの移動によりウェブを巻取体へ押し付けるとき、押付ローラのはね返りが防止されてウェブの押し付けが不十分となることはなく、適正に紙継ぎを行うことができる。
【００１０】
ところが、この紙継装置であっても、巻取体の外周面に凹凸部があった場合、この凹凸部が押付ローラに至ると、この押付ローラは、凹凸部による接触で弾き飛ばされ、ウェブを巻取体の外周面に適正に押し付けることができず、紙継ぎを行うことができないという問題がある。なお、押付ローラによる押し付け力を強くすることが考えられるが、この場合、押付ローラの押し付け力により巻取体が損傷してしまうおそれがある。
【００１１】
本発明は上述した課題を解決するものであり、ウェブを適正に継ぐことで紙継作業の円滑化を図った紙継装置と印刷機と巻取体を提供することを目的とする。
【課題を解決するための手段】
【００１２】
上記の目的を達成するための請求項１の発明の紙継装置は、第１巻取体から引き出されて走行するウェブを、回転する第２巻取体の外周面に押し付けて紙継ぎを行う紙継装置において、前記第２巻取体の外周面に前記第１巻取体からのウェブを押付可能な押付部材と、該押付部材を前記第２巻取体の外周面から離間した待機位置と押し付ける押付位置との間で移動可能なローラ移動手段と、前記第２巻取体から受ける衝撃による前記押付部材のはねを抑制する跳ね抑制手段とを具えたことを特徴とするものである。
【００１３】
請求項２の発明の紙継装置では、前記第２巻取体の外周面に凹凸部が存在するとき、前記跳ね抑制手段は、前記凹凸部が前記押付部材に接触するときに前記第２巻取体から受ける衝撃による前記押付部材のはねを抑制することを特徴としている。
【００１４】
請求項３の発明の紙継装置では、基端部がフレームに回動自在に支持された押付アームに前記押付部材が回転自在に支持され、前記ローラ移動手段は、前記押付アームを回動可能な流体シリンダを有することを特徴としている。
【００１５】
請求項４の発明の紙継装置では、前記跳ね抑制手段は、ダンパ装置を有することを特徴としている。
【００１６】
請求項５の発明の紙継装置では、前記ローラ移動手段は、油圧シリンダを有し、前記跳ね抑制手段は、前記油圧シリンダに連結されたエアハイドロユニットを有することを特徴としている。
【００１７】
請求項６の発明の紙継装置では、前記跳ね抑制手段は、前記第２巻取体における外周面の凹凸度合から仮想外周面を設定する仮想外周面設定手段と、前記ローラ移動手段により移動する前記押付部材を前記仮想外周面から所定の押付力が発生する押込み量を考慮した押付位置に位置決めする位置決め手段を有することを特徴としている。
【００１８】
請求項７の発明の紙継装置では、前記跳ね抑制手段は、前記ローラ移動手段により移動する前記押付部材を前記第２巻取体の外周面との押付位置に位置決めする位置決め手段と、前記押付位置に位置決めされた前記押付部材の前記第２巻取体の径方向の微小移動を許容する吸収機構を有することを特徴としている。
【００１９】
請求項８の発明の紙継装置では、前記第２巻取体は、周方向における最大半径位置から前記ウェブの引き出し方向の上流側に予め設定された所定距離離間した表面に紙継部が設けられることを特徴としている。
【００２０】
また、請求項９の発明の印刷機は、第１巻取体から引き出されたウェブを供給する給紙装置と、該給紙装置から供給されたウェブに対して印刷を施す印刷装置と、該印刷装置により印刷が施されたウェブのインキを乾燥する乾燥装置と、該乾燥装置によりインキが乾燥したウェブを裁断して所定の折帳を形成する折り装置と、該折り装置により折り畳まれた印刷物を排出する排紙装置を具えた印刷機において、前記給紙装置は、第２巻取体の外周面に第１巻取体からのウェブを押付可能な押付部材と、該押付部材を前記第２巻取体の外周面から離間した待機位置と押し付ける押付位置との間で移動可能なローラ移動手段と、前記第２巻取体から受ける衝撃による前記押付部材のはねを抑制する跳ね抑制手段とを有する紙継装置を設けたことを特徴とするものである。
【００２１】
また、請求項１０の発明の巻取体は、ウェブが巻き取られて構成される巻取体において、周方向における最大半径位置から前記ウェブの引き出し方向の上流側に予め設定された所定距離離間した表面に紙継部が設けられることを特徴とするものである。
【発明の効果】
【００２２】
請求項１の発明の紙継装置によれば、第２巻取体の外周面に第１巻取体からのウェブを押付可能な押付部材と、押付部材を第２巻取体の外周面から離間した待機位置と押し付ける押付位置との間で移動可能なローラ移動手段と、第２巻取体から受ける衝撃による押付部材のはねを抑制する跳ね抑制手段を設けたので、ローラ移動手段により押付部材を待機位置から押付位置に移動し、第２巻取体の外周面に第１巻取体からのウェブを押付けるとき、跳ね抑制手段は、第２巻取体から受ける衝撃による押付部材のはねを抑制するため、第１巻取体からのウェブを第２巻取体の外周面に適正に押し付けることができ、ウェブを適正に継ぐことで紙継作業を円滑に行うことができる。
【００２３】
請求項２の発明の紙継装置によれば、第２巻取体の外周面に凹凸部が存在するとき、跳ね抑制手段は、凹凸部が押付部材に接触するときに第２巻取体から受ける衝撃による押付部材のはねを抑制するので、ローラ移動手段により押付部材が押付位置に移動して第２巻取体の外周面に第１巻取体からのウェブを押付けているとき、凹凸部が押付部材に接触しても、跳ね抑制手段は、このときの衝撃による押付部材のはねを抑制するため、第１巻取体からのウェブを第２巻取体の外周面に適正に押し付けることができる。
【００２４】
請求項３の発明の紙継装置によれば、基端部がフレームに回動自在に支持された押付アームに押付部材を回転自在に支持し、ローラ移動手段は、押付アームを回動可能な流体シリンダを有するので、押付アームを用いることで押付部材を容易に回転自在に支持することができると共に、ローラ移動手段及び跳ね抑制手段を容易に構成することができる。
【００２５】
請求項４の発明の紙継装置によれば、跳ね抑制手段をダンパ装置としたので、第２巻取体の外周面に第１巻取体からのウェブを押付けるとき、第２巻取体から受ける衝撃に対してダンパ装置が押付部材のはねを抑制し、この押付部材が第２巻取体から弾き飛ばされる量が減少することとなり、第１巻取体からのウェブを第２巻取体の外周面に適正に押し付けることができる。
【００２６】
請求項５の発明の紙継装置によれば、ローラ移動手段を油圧シリンダとし、跳ね抑制手段をこの油圧シリンダに連結されたエアハイドロユニットとしたので、第２巻取体の外周面に第１巻取体からのウェブを押付けるとき、第２巻取体から受ける衝撃に対して油圧シリンダ及びエアハイドロユニットが押付部材のはねを抑制し、この押付部材が第２巻取体から弾き飛ばされる量が減少することとなり、第１巻取体からのウェブを第２巻取体の外周面に適正に押し付けることができる。
【００２７】
請求項６の発明の紙継装置によれば、跳ね抑制手段として、第２巻取体における外周面の凹凸度合から仮想外周面を設定する仮想外周面設定手段と、ローラ移動手段により移動する押付部材を仮想外周面から所定の押付力が発生する押込み量を考慮した押付位置に位置決めする位置決め手段を設けたので、第２巻取体の外周面に第１巻取体からのウェブを押付けるとき、仮想外周面設定手段が第２巻取体における外周面の凹凸度合から仮想外周面を設定し、位置決め手段が押付部材を仮想外周面との押付位置に位置決めすることとなり、第２巻取体から受ける衝撃による押付部材のはねがこの押付部材自体により抑制され、この押付部材が第２巻取体から弾き飛ばされる量が減少することとなり、第１巻取体からのウェブを第２巻取体の外周面に適正に押し付けることができる。
【００２８】
請求項７の発明の紙継装置によれば、跳ね抑制手段として、ローラ移動手段により移動する押付部材を第２巻取体の外周面との押付位置に位置決めする位置決め手段と、押付位置に位置決めされた押付部材の第２巻取体の径方向の微小移動を許容する吸収機構を設けたので、第２巻取体の外周面に第１巻取体からのウェブを押付けるとき、位置決め手段が押付部材を第２巻取体の外周面との押付位置に位置決めすることで、第２巻取体から受ける衝撃に対して吸収機構が押付部材の微小移動を許容することで押付部材のはねが抑制され、この押付部材が第２巻取体から弾き飛ばされる量が減少することとなり、第１巻取体からのウェブを第２巻取体の外周面に適正に押し付けることができる。
【００２９】
請求項８の発明の紙継装置によれば、ウェブにおける周方向における最大半径位置から前記ウェブの引き出し方向の上流側に予め設定された所定距離離間した表面に紙継部を設けるので、ローラ移動手段により押付部材を待機位置から押付位置に移動し、第２巻取体の外周面に第１巻取体からのウェブを押付けるとき、押付部材が第２巻取体における最大半径位置の表面に至る前に紙継部を押圧するため、ここで第１巻取体のウェブを第２巻取体の外周面に適正に押し付けることができ、ウェブを適正に継ぐことで紙継作業を円滑に行うことができる。
【００３０】
また、請求項９の発明の印刷機によれば、給紙装置と印刷装置と乾燥装置と折り装置と排紙装置を具え、給紙装置として、第２巻取体の外周面に第１巻取体からのウェブを押付可能な押付部材と、押付部材を第２巻取体の外周面から離間した待機位置と押し付ける押付位置との間で移動可能なローラ移動手段と、第２巻取体から受ける衝撃による押付部材のはねを抑制する跳ね抑制手段とを有する紙継装置を設けたので、給紙装置にて、ローラ移動手段により押付部材を待機位置から押付位置に移動し、第２巻取体の外周面に第１巻取体からのウェブを押付けて紙継を行うとき、跳ね抑制手段は、第２巻取体から受ける衝撃による押付部材のはねを抑制するため、第１巻取体からのウェブを第２巻取体の外周面に適正に押し付けることができ、ウェブを適正に継ぐことで紙継作業を円滑に行うことができ、その結果、印刷作業の作業性を向上することができる。
【００３１】
また、請求項１０の発明の巻取体によれば、周方向における最大半径位置からウェブの引き出し方向の上流側に予め設定された所定距離離間した表面に紙継部を設けるので、紙継作業を行うとき、押付部材が巻取体における最大半径位置の表面に至る前に紙継部を押圧するため、ここでウェブを巻取体の外周面に適正に押し付けることができ、ウェブを適正に継ぐことで紙継作業を円滑に行うことができる。
【発明を実施するための最良の形態】
【００３２】
以下に添付図面を参照して、本発明に係る紙継装置と印刷機と巻取体の好適な実施例を詳細に説明する。なお、この実施例により本発明が限定されるものではない。
【実施例１】
【００３３】
図１は、本発明の実施例１に係る紙継装置におけるペースターローラを表す概略図、図２は、実施例１の紙継装置におけるペースターローラの作動状態を表す概略図、図３は、実施例１の紙継装置を表す概略構成図、図４は、実施例１の紙継装置の作動状態を表す概略図、図５は、実施例１の紙継装置が適用されたオフセット輪転印刷機を表す概略図、図６は、巻取体におけるウェブの端部構造を表す概略図である。
【００３４】
実施例１の印刷機は、オフセット輪転印刷機であって、図５に示すように、給紙装置１１と、インフィード装置１２と、印刷装置１３と、乾燥装置１４と、冷却装置１５と、ウェブパス装置１６と、折り装置１７と、排紙装置１８とから構成されている。
【００３５】
給紙装置１１は、２つの巻取体（ウェブロール）が装着されるリールスタンドを有しており、一方の巻取体から引き出されて走行しているウェブを、他方の巻取体のウェブに接続することで、連続的にウェブを供給可能な紙継装置２１を有している。インフィード装置１２は、給紙装置１１のウェブを印刷装置１３側に供給するものである。印刷装置１３は、４つのインキ色である藍（Cyan）、紅（Magenta）、黄（yellow）、墨（Black）ごとの４個の印刷ユニット２２，２３，２４，２５がウェブ走行方向に沿って並設されて構成されている。乾燥装置１４は、印刷装置１３により印刷が施されたウェブ上のインキを乾燥させるためのものであり、冷却装置１５は、乾燥装置１４での乾燥後の過剰な熱を蓄えるウェブを適当な温度まで冷却するものである。ウェブパス装置１６は、乾燥されて冷却されたウェブを搬送するものであり、折り装置１７は、ウェブを縦折りされた後に裁断し、所定の大きさに折り畳んで折帳を形成するものであり、排紙装置１８は、折り畳まれた折帳を機外へ搬出するものである。
【００３６】
従って、給紙装置１１により巻取体からロール状のウェブＷが引き出され、インフィード装置１２により印刷装置１３に供給され、この印刷装置１３にて、各印刷ユニット２２，２３，２４，２５により多色印刷が施され、印刷されたウェブＷは、乾燥装置１４でインキが乾燥され、冷却装置１５で冷却され、ウェブパス装置１６を経て搬送された折り装置１７により折帳が作成され、排紙装置１８により搬出される。
【００３７】
ここで、本実施例のオフセット輪転印刷機にて、給紙装置１１及びこの給紙装置１１に設けられた紙継装置２１について詳細に説明する。
【００３８】
給紙装置１１において、図３に示すように、図示しない左右一対のフレームには、主軸３１が回転自在に支持されており、図示しないターニング装置により回動可能となっている。この主軸３１には、左右一対二組の支持アーム３２ａ，３２ｂの基端部が連結されると共に、主軸３１の軸方向に沿って移動可能となっている。そして、各支持アーム３２ａ，３２ｂの先端部には、それぞれ支持軸３３，３４が装着され、この支持軸３３，３４により第１巻取体Ｒ１と第２巻取体Ｒ２を軸方向外側から挟み込んで回転自在に支持することができる。
【００３９】
そして、主軸３１には支持アーム３２ａ，３２ｂと交差するようにベースプレート３５が固定され、このベースプレート３５の各端部にエアシリンダ３６，３７が装着され、先端部にガイドローラ３８，３９が装着されている。また、ガイドローラ３８に対向してガイドローラ４０が回転自在に設けられている。
【００４０】
また、ガイドローラ３８，４０の間に位置して紙継装置２１が配置されている。この紙継装置２１において、左右一対のフレームには、それぞれ上下一対のガイドレール４１，４２が固定され、このガイドレール４１，４２に、スライドプレート４３が移動自在に支持されており、駆動モータ４４により図示しないケーブルを介して移動可能となっている。このスライドプレート４３には、上下方向における中間位置にペースターローラ４５が回転自在に支持されると共に、その上下にガイドローラ４６，４７が回転自在に支持されており、ペースターローラ４５に隣接したカッタ４８が設けられている。このペースターローラ４５、ガイドローラ４６，４７、カッタ４８は、第２巻取体Ｒ２に対向して配置されている。なお、このペースターローラ４５は、ゴムローラまたはスポンジローラであり、外周部に弾力性を有する弾性変形部を有している。
【００４１】
従って、第１巻取体Ｒ１（または、第２巻取体Ｒ２）からウェブＷ１が引き出されて印刷が行われているとき、この第１巻取体Ｒ１からのウェブＷ１は、ガイドローラ３８，４０にガイドされて走行しており、紙継装置２１は、待機位置に待機した状態にある。そして、紙継装置２１により第１巻取体Ｒ１から引き出されて走行するウェブＷ１を、第２巻取体Ｒ２の外周面に押し付けて紙継ぎを行うとき、駆動モータ４４によりスライドプレート４３を移動することで、図４に示すように、紙継装置２１を第２巻取体Ｒ２の外周面に接近する対接位置に移動することができ、このとき、ペースターローラ４５により走行するウェブＷ１を第２巻取体Ｒ２の外周面に押し付けることで、紙継を行うことができる。
【００４２】
即ち、図１に示すように、フレームとしてのスライドプレート４３には、支持軸５１により押付アームとしてのペースターアーム５２の基端部が回動自在に支持されており、このペースターアーム５２の先端部には、押付部材としてのペースターローラ４５が回転自在に支持されている。また、スライドプレート４３には、ローラ移動手段としてのエアシリンダ（流体シリンダ）５３が装着され、シリンダロッド５４の先端部がペースターアーム５２の中間部に連結されている。このエアシリンダ５３は、シリンダロッド５４に連結されるピストンにより２つの部屋５３ａ，５３ｂに区画され、各部屋５３ａ，５３ｂに、エア給排装置５５が連結されている。
【００４３】
また、スライドプレート４３には、跳ね抑制手段としてのダンパ装置５６が装着され、駆動ロッド５７の先端部がペースターアーム５２の中間部に連結されている。このダンパ装置５６は、駆動ロッド５７が伸長する方向には高速で移動し、駆動ロッド５７が収縮する方向には、反力が発生してその移動速度を低下させることで、その移動量を制限することができる。即ち、ダンパ装置５６は、駆動ロッド５７に連結されるピストンにより２つの部屋５６ａ，５６ｂに区画され、各部屋５６ａ，５６ｂが、小径の連結孔５６ｃと、大径であって逆止弁を有する連結孔５６ｄとにより連通され、内部に作動油が充填されている。
【００４４】
従って、ペースターローラ４５が待機位置にある状態から、エア給排装置５５によりエアシリンダ５３の部屋５３ａにエアを供給すると、図２に示すように、シリンダロッド５４が伸長することで、ペースターアーム５２が回動し、ペースターローラ４５を第２巻取体Ｒ２の外周面に押し付ける押付位置に移動することができる。このとき、ペースターローラ４５は、第２巻取体Ｒ２の外周面に接触する衝撃によりはね返ろうとするが、ダンパ装置５６にて、駆動ロッド５７が収縮するとき、逆止弁により連結孔５６ｄが閉止され、部屋５６ａの作動油が連結孔５６ｃを通って部屋５６ｂに流れることで、その移動速度及び移動量が制限され、ペースターローラ４５における第２巻取体Ｒ２の外周面からのはね返り量を抑制することができる。
【００４５】
ところで、図６に示すように、第２巻取体Ｒ２（Ｒ１）は、ウェブＷ２（Ｗ１）がロール状に巻き取られて形成されたものであり、ウェブＷ２の端部が切れ目Ｔ１を有する複数のタブＴにより仮止めされると共に、両面粘着テープＳが貼り付けられている。従って、前述したように、ペースターローラ４５により走行しているウェブＷ１が、同一の周速で回転している第２巻取体Ｒ２の外周面に押し付けられ、第２巻取体Ｒ２の両面粘着テープＳがウェブＷ１の表面に移動することでウェブＷ１と第２巻取体Ｒ２が密着して接続され、ウェブＷ１により第２巻取体Ｒ２のウェブＷ２の端部が引かれることで、切れ目Ｔ１からタブＴが切断され、第２巻取体Ｒ２からウェブＷ２が引き出される。
【００４６】
この場合、ペースターローラ４５は、少なくとも第２巻取体Ｒ２が１回転する間、走行しているウェブＷ１を回転している第２巻取体Ｒ２の外周面に押し付けている。一般的に、巻取体Ｒ１，Ｒ２は、ウェブＷ１，Ｗ２がロール状に巻き取られて形成されているものの、必ずしも外周面が真円形状ではなくて凹凸を有していることがある。そのため、ペースターローラ４５がウェブＷ１を第２巻取体Ｒ２の外周面に押し付けているとき、第２巻取体Ｒ２の凹凸部がペースターローラ４５に至ると、このペースターローラ４５は、その凹凸部との接触により弾き飛ばされ、ウェブＷ１を第２巻取体Ｒ２の外周面に適性に押し付けることができなくなるおそれがある。
【００４７】
ところが、本実施例では、上述した跳ね抑制手段としてのダンパ装置５６により、第２巻取体Ｒ２から受ける衝撃によるペースターローラ４５のはねを抑制することができる。即ち、第２巻取体Ｒ２の外周面に凹凸部が存在するとき、ダンパ装置５６は、この凹凸部がペースターローラ４５に接触するときに、第２巻取体Ｒ２から受ける衝撃によるペースターローラ４５のはねを抑制することができる。
【００４８】
詳細に説明すると、図３に示すように、第１巻取体Ｒ１からウェブＷ１が引き出されて印刷が行われている状態から、紙継装置２１により、このウェブＷ１を第２巻取体Ｒ２の外周面に押し付けて紙継ぎを行う場合、まず、駆動モータ４４により、待機位置にある紙継装置２１（スライドプレート４３）を、図４に示すように、対接位置に移動し、ペースターローラ４５により走行するウェブＷ１を支持し、第２巻取体Ｒ２の外周面側に移動する。
【００４９】
次に、図１に示すように、紙継装置２１が対接位置にあり、ペースターローラ４５が待機位置にある状態から、図２に示すように、エア給排装置５５によりエアシリンダ５３を作動することで、ペースターアーム５２を回動し、ペースターローラ４５を、ウェブＷ１を支持したままで、第２巻取体Ｒ２の外周面に押し付ける押付位置に移動する。この場合、走行しているウェブＷ１に対して、第２巻取体Ｒ２は同一の周速で回転しており、第２巻取体Ｒ２の両面粘着テープＳ（図６参照）が紙継装置２１を通過した直後に、ペースターローラ４５を移動してウェブＷ１を第２巻取体Ｒ２の外周面に押し付けることが好ましい。
【００５０】
すると、ペースターローラ４５がウェブＷ１を第２巻取体Ｒ２の外周面に押し付けたまま、ウェブＷ１が走行すると共に第２巻取体Ｒ２が回転するため、第２巻取体Ｒ２の両面粘着テープＳが再び紙継装置２１に至ると、走行するウェブＷ１と第２巻取体Ｒ２におけるウェブＷ２の端部が両面粘着テープＳにより接続され、ウェブＷ１により第２巻取体Ｒ２のウェブＷ２の端部が引かれることで、切れ目Ｔ１からタブＴが切断され、第２巻取体Ｒ２からウェブＷ２が引き出され、ウェブＷ１とウェブＷ２が一体となって走行し、カッタ４８によりウェブＷ１が切断されることで紙継作業が完了する。
【００５１】
この紙継作業時に、ペースターローラ４５は、ウェブＷ１を第２巻取体Ｒ２の外周面に押し付けてから、第２巻取体Ｒ２が回転して両面粘着テープＳが紙継装置２１に至るまでの間、第２巻取体Ｒ２の凹凸部がペースターローラ４５に至ると、このペースターローラ４５に衝撃力が作用する。ところが、ペースターアーム５２にダンパ装置５６が連結されているため、ペースターローラ４５に対して、第２巻取体Ｒ２の凹凸部に衝撃力が作用しても、ペースターローラ４５は、ダンパ装置５６によりはねが抑制される。即ち、ダンパ装置５６にて、第２巻取体Ｒ２の凹凸部からペースターアーム５２を介して駆動ロッド５７に収縮力が作用すると、逆止弁により連結孔５６ｄが閉止され、部屋５６ａの作動油が連結孔５６ｃを通って部屋５６ｂに流れることから、その移動速度及び移動量が制限される。そのため、ペースターアーム５２はほとんど回動せず、ペースターローラ４５は第２巻取体Ｒ２の外周面からのはね返り量が抑制され、ウェブＷ１を第２巻取体Ｒ２の外周面に継続して押し付けることができる。
【００５２】
このように実施例１の紙継装置にあっては、第１巻取体Ｒ１から引き出されて走行するウェブＷ１を、回転する第２巻取体Ｒ２の外周面に押し付けて紙継ぎを行う紙継装置２１にて、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能なエアシリンダ５３と、第２巻取体Ｒ２から受ける衝撃によるペースターローラ４５のはねを抑制する跳ね抑制手段としてのダンパ装置５６を設けている。
【００５３】
従って、エアシリンダ５３によりペースターローラ４５を待機位置から押付位置に移動し、第２巻取体Ｒ２の外周面に第１巻取体Ｒ１からのウェブＷ１を押付けるとき、ダンパ装置５６は、第２巻取体Ｒ２から受ける衝撃によるペースターローラ４５のはねを抑制するため、第１巻取体Ｒ１からのウェブＷ１を第２巻取体Ｒ２の外周面に適正に押し付けることができ、ウェブを適正に継ぐことで紙継作業を円滑に行うことができる。
【００５４】
また、本実施例の紙継装置及び印刷機では、第２巻取体Ｒ２の外周面に凹凸部が存在するとき、ダンパ装置５６は、凹凸部がペースターローラ４５に接触するときに、第２巻取体Ｒ２から受ける衝撃によるペースターローラ４５のはねを抑制するようにしている。従って、エアシリンダ５３によりペースターローラ４５が押付位置に移動して第２巻取体Ｒ２の外周面に第１巻取体Ｒ１からのウェブＷ１を押付けているとき、凹凸部がペースターローラ４５に接触しても、ダンパ装置５６は、このときの衝撃によるペースターローラ４５のはねを抑制するため、第１巻取体Ｒ１からのウェブＷ１を第２巻取体Ｒ２の外周面に適正に押し付けることができる。
【００５５】
また、本実施例では、基端部がスライドプレート４３に回動自在に支持されたペースターアーム５２の先端部にペースターローラ４５を回転自在に支持し、エアシリンダ５３によりペースターアームを回動可能としている。従って、ペースターアーム５２を用いることで、ペースターローラ４５を容易に回転自在に支持することができると共に、エアシリンダ及びダンパ装置５６という簡単な構成で、ペースターローラ４５の跳ねを抑制することができる。
【００５６】
そして、跳ね抑制手段をダンパ装置５６により構成しており、第２巻取体Ｒ２の外周面に第１巻取体Ｒ１からのウェブＷ１を押付けるとき、第２巻取体Ｒ２から受ける衝撃に対してダンパ装置５６がペースターローラ４５のはねを抑制し、このペースターローラ４５が第２巻取体Ｒ２から弾き飛ばされる量が減少することとなり、第１巻取体Ｒ１からのウェブＷ１を第２巻取体Ｒ２の外周面に適正に押し付けることができ、また、構造の簡素化と低コスト化を実現することができる。
【００５７】
更に、本実施例の印刷機にあっては、給紙装置１１と、インフィード装置１２と、印刷装置１３と、乾燥装置１４と、冷却装置１５と、ウェブパス装置１６と、折り装置１７と、排紙装置１８とからオフセット輪転印刷機を構成し、給紙装置１１の紙継装置２１にて、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能なエアシリンダ５３と、第２巻取体Ｒ２から受ける衝撃によるペースターローラ４５のはねを抑制する跳ね抑制手段としてのダンパ装置５６を設けている。
【００５８】
従って、エアシリンダ５３によりペースターローラ４５を待機位置から押付位置に移動し、第２巻取体Ｒ２の外周面に第１巻取体Ｒ１からのウェブＷ１を押付けるとき、ダンパ装置５６は、第２巻取体Ｒ２から受ける衝撃によるペースターローラ４５のはねを抑制するため、第１巻取体Ｒ１からのウェブＷ１を第２巻取体Ｒ２の外周面に適正に押し付けることができ、紙継作業を円滑に行うことができ、その結果、印刷作業の作業性を向上することができる。
【実施例２】
【００５９】
図７は、本発明の実施例２に係る紙継装置におけるペースターローラを表す概略図である。なお、前述した実施例で説明したものと同様の機能を有する部材には同一の符号を付して重複する説明は省略する。
【００６０】
実施例２の印刷機の給紙装置における紙継装置において、図７に示すように、スライドプレート４３には、支持軸５１によりペースターアーム５２の基端部が回動自在に支持されており、このペースターアーム５２の先端部には、ペースターローラ４５が回転自在に支持されている。また、スライドプレート４３には、ローラ移動手段としての油圧シリンダ（流体シリンダ）６１が装着され、シリンダロッド６２の先端部がペースターアーム５２の中間部に連結されている。そして、この油圧シリンダ６１には、跳ね抑制手段としてのエアハイドロユニット６３が連結され、このエアハイドロユニット６３にエア給排装置６４が連結されている。このエアハイドロユニット６３は、コンバータとバルブユニットがコンパクトに一体化され、エア給排装置６４の空気圧を同圧の油圧に変換して油圧シリンダ６１を駆動するものである。従って、空気の高速性を維持しながら、油圧により空気の圧縮性による問題を解消したものである。従って、エアハイドロユニット６３により、シリンダロッド６２が伸長する方向には、空気の性質により高速で移動し、シリンダロッド６２が収縮する方向には、油圧の非圧縮性によりその移動速度を低下させることで、その移動量を制限することができる。
【００６１】
従って、本実施例の紙継装置がウェブＷ１を第２巻取体Ｒ２の外周面に押し付けて紙継ぎを行う対接位置にあるとき、エア給排装置６４によりエアハイドロユニット６３を介して油圧シリンダ６１を作動することで、ペースターアーム５２を回動し、ペースターローラ４５を、ウェブＷ１を支持したままで、第２巻取体Ｒ２の外周面に押し付ける押付位置に移動する。この場合、走行しているウェブＷ１に対して、第２巻取体Ｒ２は同一の周速で回転しており、第２巻取体Ｒ２の両面粘着テープが紙継装置を通過した直後に、ペースターローラ４５を移動してウェブＷ１を第２巻取体Ｒ２の外周面に押し付けることが好ましい。
【００６２】
このとき、ペースターローラ４５は、第２巻取体Ｒ２の外周面に接触する衝撃によりはね返ろうとするが、エアハイドロユニット６３により、ペースターローラ４５が第２巻取体Ｒ２の外周面から離間する移動速度及び移動量が制限され、ペースターローラ４５における第２巻取体Ｒ２の外周面からのはね返り量を抑制することができる。
【００６３】
そして、ペースターローラ４５がウェブＷ１を第２巻取体Ｒ２の外周面に押し付けたまま、ウェブＷ１が走行すると共に第２巻取体Ｒ２が回転するため、第２巻取体Ｒ２の両面粘着テープが再び紙継装置２１に至ると、走行するウェブＷ１と第２巻取体Ｒ２におけるウェブＷ２の端部が両面粘着テープＳにより接続され、ウェブＷ１により第２巻取体Ｒ２のウェブＷ２の端部が引かれることで、切れ目からタブが切断され、第２巻取体Ｒ２からウェブＷ２が引き出され、ウェブＷ１とウェブＷ２が一体となって走行し、カッタ４８によりウェブＷ１が切断されることで紙継作業が完了する。
【００６４】
また、このとき、ペースターローラ４５は、ウェブＷ１を第２巻取体Ｒ２の外周面に押し付けてから、第２巻取体Ｒ２が回転して両面粘着テープが紙継装置に至るまでの間、第２巻取体Ｒ２の凹凸部がペースターローラ４５に至ると、このペースターローラ４５に衝撃力が作用する。ところが、油圧シリンダ６１にエアハイドロユニット６３が連結されているため、ペースターローラ４５に対して、第２巻取体Ｒ２の凹凸部に衝撃力が作用しても、ペースターローラ４５は、エアハイドロユニット６３によりはねが抑制される。そのため、ペースターアーム５２はほとんど回動せず、ペースターローラ４５は第２巻取体Ｒ２の外周面からのはね返り量が抑制され、ウェブＷ１を第２巻取体Ｒ２の外周面に継続して押し付けることができる。
【００６５】
このように実施例２の紙継装置にあっては、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能な油圧シリンダ６１と、第２巻取体Ｒ２から受ける衝撃によるペースターローラ４５のはねを抑制する跳ね抑制手段としてのエアハイドロユニット６３を設けている。
【００６６】
従って、油圧シリンダ６１によりペースターローラ４５を押付位置に移動し、第２巻取体Ｒ２の外周面に第１巻取体Ｒ１からのウェブＷ１を押付けているとき、第２巻取体Ｒ２の凹凸部がペースターローラ４５に接触しても、エアハイドロユニット６３は、このときの衝撃によるペースターローラ４５のはねを抑制するため、第１巻取体Ｒ１からのウェブＷ１を第２巻取体Ｒ２の外周面に適正に押し付けることができ、紙継作業を円滑に行うことができる。
【００６７】
そして、跳ね抑制手段をエアハイドロユニット６３により構成しており、既存の装置を利用して第２巻取体Ｒ２から受ける衝撃に対して、ペースターローラ４５のはねを抑制することができ、また、第２巻取体Ｒ２から受ける大きな衝撃に対しても対応することができる。
【実施例３】
【００６８】
図８は、本発明の実施例３に係る紙継装置におけるペースターローラを表す概略図である。なお、前述した実施例で説明したものと同様の機能を有する部材には同一の符号を付して重複する説明は省略する。
【００６９】
実施例３の印刷機の給紙装置における紙継装置において、図８に示すように、スライドプレート４３には、支持軸５１によりペースターアーム５２の基端部が回動自在に支持されており、このペースターアーム５２の先端部には、ペースターローラ４５が回転自在に支持されている。また、スライドプレート４３には、エアシリンダ５３が装着され、シリンダロッド５４の先端部がペースターアーム５２の中間部に連結されている。そして、このエアシリンダ５３には、エア給排装置５５が連結されている。
【００７０】
また、跳ね抑制手段として、第２巻取体Ｒ２における外周面の凹凸度合から仮想外周面を設定する仮想外周面設定手段と、エアシリンダ５３により移動するペースターローラ４５をこの仮想外周面との押付位置に位置決めする位置決め手段を設けている。本実施例では、仮想外周面設定手段として、所定位置から第２巻取体Ｒ２の外周面までの距離を計測するレーザセンサ７１と、このレーザセンサ７１の計測結果に基づいて第２巻取体Ｒ２の仮想外周面を設定する制御装置７２が設けられている。また、位置決め手段として、ペースターアーム５２にその停止位置を調整可能なストッパ機構７３が連結されており、制御装置７２により作動可能となっている。
【００７１】
従って、本実施例の紙継装置がウェブＷ１を第２巻取体Ｒ２の外周面に押し付けて紙継ぎを行う対接位置にあるとき、レーザセンサ７１は、第２巻取体Ｒ２の全周にわたって所定位置からこの第２巻取体Ｒ２の外周面までの距離を計測し、制御装置７２は、その計測結果に基づいて第２巻取体Ｒ２の仮想外周面を設定する。即ち、第２巻取体Ｒ２は、外周面に凹凸部があるとき、真円形状とならずにその半径が周方向に沿ってばらついている。そのため、制御装置７２は、レーザセンサ７１の計測結果に基づいて第２巻取体Ｒ２の周方向におけるばらついた半径を算出し、この周方向におけるばらついた半径を平均化することで仮想半径を算出し、この仮想半径から仮想外周面を設定する。
【００７２】
制御装置７２により第２巻取体Ｒ２の仮想外周面が設定されると、この制御装置７２は、ストッパ機構７３によりペースターアーム５２の位置決め停止位置を調整する。このペースターアーム５２の位置決め停止位置は、エアシリンダ５３によりペースターアーム５２を介してペースターローラ４５を移動させるとき、このペースターローラ４５が第２巻取体Ｒ２の仮想外周面に接触する押付位置である。そして、エアシリンダ５３を作動することで、ペースターアーム５２を回動し、ペースターローラ４５を、ウェブＷ１を支持したままで、第２巻取体Ｒ２の外周面側に移動すると、このペースターローラ４５は、ストッパ機構７３によりにより第２巻取体Ｒ２の仮想外周面を押し付ける押付位置に移動することとなる。この場合、走行しているウェブＷ１に対して、第２巻取体Ｒ２は同一の周速で回転しており、第２巻取体Ｒ２の両面粘着テープが紙継装置を通過した直後に、ペースターローラ４５を移動してウェブＷ１を第２巻取体Ｒ２の外周面に押し付けることが好ましい。
【００７３】
このとき、ペースターローラ４５は、ストッパ機構７３によりその停止位置が設定されていることから、第２巻取体Ｒ２の外周面に接触する衝撃が少なく、ペースターローラ４５における第２巻取体Ｒ２の外周面からのはね返り量を抑制することができる。
【００７４】
そして、ペースターローラは、ゴムローラまたはスポンジローラであり、外周部に弾力性を有する弾性変形部を有していることから、第２巻取体Ｒ２の仮想外周面で停止していても、ウェブＷ１を第２巻取体Ｒ２の外周面に押し付けることができ、ウェブＷ１が走行すると共に第２巻取体Ｒ２が回転すると、第２巻取体Ｒ２の両面粘着テープが再び紙継装置２１に至ると、走行するウェブＷ１と第２巻取体Ｒ２におけるウェブＷ２の端部が両面粘着テープＳにより接続され、ウェブＷ１により第２巻取体Ｒ２のウェブＷ２の端部が引かれることで、切れ目からタブが切断され、第２巻取体Ｒ２からウェブＷ２が引き出され、ウェブＷ１とウェブＷ２が一体となって走行し、カッタ４８によりウェブＷ１が切断されることで紙継作業が完了する。
【００７５】
また、このとき、ペースターローラ４５は、ウェブＷ１を第２巻取体Ｒ２の外周面に押し付けてから、第２巻取体Ｒ２が回転して両面粘着テープが紙継装置に至るまでの間、第２巻取体Ｒ２の凹凸部がペースターローラ４５に至ると、このペースターローラ４５に衝撃力が作用する。ところが、ペースターローラは、ストッパ機構７３により第２巻取体Ｒ２の仮想外周面で停止し、且つ、外周部に弾性変形部を有しているため、ペースターローラ４５に対して、第２巻取体Ｒ２の凹凸部から受ける衝撃力は微小であり、弾性変形部によりはねが抑制される。そのため、ペースターアーム５２はほとんど回動せず、ペースターローラ４５は第２巻取体Ｒ２の外周面からのはね返り量が抑制され、ウェブＷ１を第２巻取体Ｒ２の外周面に継続して押し付けることができる。
【００７６】
このように実施例３の紙継装置にあっては、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能なエアシリンダ５３と、第２巻取体Ｒ２から受ける衝撃によるペースターローラ４５のはねを抑制する跳ね抑制手段としてのレーザセンサ７１、制御装置７２、ストッパ機構７３を設けている。
【００７７】
従って、レーザセンサ７１が第２巻取体Ｒ２の全周にわたって所定位置からこの第２巻取体Ｒ２の外周面までの距離を計測し、制御装置７２は、その計測結果に基づいて第２巻取体Ｒ２の仮想外周面を設定し、ストッパ機構７３によるペースターアーム５２の位置決め停止位置を調整する。この状態で、エアシリンダ５３によりペースターアーム５２を移動すると、ペースターローラ４５は第２巻取体Ｒ２の仮想外周面に接触する位置で停止し、第２巻取体Ｒ２の仮想外周面に第１巻取体Ｒ１からのウェブＷ１を押付けることとなり、第２巻取体Ｒ２の凹凸部がペースターローラ４５に接触しても、このペースターローラ４５は、第２巻取体Ｒ２の凹凸部から受ける衝撃力が微小となり、弾性変形部によりはねを抑制するため、第１巻取体Ｒ１からのウェブＷ１を第２巻取体Ｒ２の外周面に適正に押し付けることができ、紙継作業を円滑に行うことができる。
【実施例４】
【００７８】
図９は、本発明の実施例４に係る紙継装置におけるペースターローラを表す概略図である。なお、前述した実施例で説明したものと同様の機能を有する部材には同一の符号を付して重複する説明は省略する。
【００７９】
実施例４の印刷機の給紙装置における紙継装置において、図９に示すように、スライドプレート４３には、支持軸５１によりペースターアーム５２の基端部が回動自在に支持されており、このペースターアーム５２の先端部には、ペースターローラ４５が回転自在に支持されている。また、スライドプレート４３には、エアシリンダ５３が装着され、シリンダロッド５４の先端部がペースターアーム５２の中間部に連結されている。そして、このエアシリンダ５３には、エア給排装置５５が連結されている。
【００８０】
また、跳ね抑制手段として、エアシリンダ５３により移動するペースターローラ４５を第２巻取体Ｒ２の外周面との押付位置に位置決めする位置決め手段としてのストッパ機構８１と、この押付位置に位置決めされたペースターローラ４５の第２巻取体Ｒ２の径方向の微小移動を許容する吸収機構８２を設けている。このストッパ機構８１は、ペースターアーム５２に連結されており、第２巻取体Ｒ２の半径からその外周面の位置を予め求めておき、ペースターローラ４５が第２巻取体Ｒ２の外周面を押圧する位置で停止するようにペースターアーム５２の回動量を規制する。吸収機構８２は、ペースターアーム５２の先端部に形成された長孔５２ａと、この長孔５２ａに嵌入するペースターローラ４５の回転軸４５ａと、ペースターアーム５２に対してペースターローラ４５を第２巻取体Ｒ２の外周面側に付勢するばね部材８３とから構成されている。
【００８１】
従って、本実施例の紙継装置がウェブＷ１を第２巻取体Ｒ２の外周面に押し付けて紙継ぎを行う対接位置にあるとき、エア給排装置５５によりエアシリンダ５３を作動することで、ペースターアーム５２を回動し、ペースターローラ４５を、ウェブＷ１を支持したままで、第２巻取体Ｒ２の外周面に押し付ける押付位置に移動する。この場合、走行しているウェブＷ１に対して、第２巻取体Ｒ２は同一の周速で回転しており、第２巻取体Ｒ２の両面粘着テープが紙継装置を通過した直後に、ペースターローラ４５を移動してウェブＷ１を第２巻取体Ｒ２の外周面に押し付けることが好ましい。
【００８２】
このとき、ペースターローラ４５は、ストッパ機構８１によりその停止位置が設定されていることから、第２巻取体Ｒ２の外周面に接触する衝撃が少なく、ペースターローラ４５における第２巻取体Ｒ２の外周面からのはね返り量を抑制することができる。また、ペースターローラ４５は、第２巻取体Ｒ２の外周面に若干接触するが、吸収機構によりペースターローラ４５が接触する衝撃力が吸収され、ペースターローラ４５における第２巻取体Ｒ２の外周面からのはね返り量を抑制することができる。
【００８３】
そして、ペースターローラ４５がウェブＷ１を第２巻取体Ｒ２の外周面に押し付けたまま、ウェブＷ１が走行すると共に第２巻取体Ｒ２が回転するため、第２巻取体Ｒ２の両面粘着テープが再び紙継装置２１に至ると、走行するウェブＷ１と第２巻取体Ｒ２におけるウェブＷ２の端部が両面粘着テープＳにより接続され、ウェブＷ１により第２巻取体Ｒ２のウェブＷ２の端部が引かれることで、切れ目からタブが切断され、第２巻取体Ｒ２からウェブＷ２が引き出され、ウェブＷ１とウェブＷ２が一体となって走行し、カッタ４８によりウェブＷ１が切断されることで紙継作業が完了する。
【００８４】
また、このとき、ペースターローラ４５は、ウェブＷ１を第２巻取体Ｒ２の外周面に押し付けてから、第２巻取体Ｒ２が回転して両面粘着テープが紙継装置に至るまでの間、第２巻取体Ｒ２の凹凸部がペースターローラ４５に至ると、このペースターローラ４５に衝撃力が作用する。ところが、ペースターアーム５２とペースターローラ４５との間に吸収機構８２が設けられているため、ペースターローラ４５に対して、第２巻取体Ｒ２の凹凸部に衝撃力が作用しても、ペースターローラ４５ははねが抑制される。即ち、ペースターローラ４５が第２巻取体Ｒ２の凹凸部により押されると、このペースターローラ４５は、ばね部材８３の付勢力に抗して長孔５２ａを移動することとなり、衝撃力を吸収してはねを抑制することができる。そのため、ペースターアーム５２はほとんど回動せず、ウェブＷ１を第２巻取体Ｒ２の外周面に継続して押し付けることができる。
【００８５】
このように実施例４の紙継装置にあっては、第２巻取体Ｒ２の外周面に第１巻取体Ｒ１からのウェブＷ１を押付可能なペースターローラ４５と、このペースターローラ４５を第２巻取体Ｒ２の外周面から離間した待機位置と押し付ける押付位置との間で移動可能なエアシリンダ５３と、第２巻取体Ｒ２から受ける衝撃によるペースターローラ４５のはねを抑制する跳ね抑制手段としてのストッパ機構８１と吸収機構８２を設けている。
【００８６】
従って、油圧シリンダ６１によりペースターローラ４５を押付位置に移動し、第２巻取体Ｒ２の外周面に第１巻取体Ｒ１からのウェブＷ１を押付けているとき、ペースターアーム５２はその停止位置がストッパ機構８１により規制されており、第２巻取体Ｒ２の凹凸部がペースターローラ４５に接触しても、第２巻取体Ｒ２の外周面に接触する衝撃が少なく、且つ、このときの衝撃によるペースターローラ４５のはねを吸収機構８２が抑制するため、第１巻取体Ｒ１からのウェブＷ１を第２巻取体Ｒ２の外周面に適正に押し付けることができ、紙継作業を円滑に行うことができる。
【００８７】
なお、上述した実施例１〜４では、跳ね抑制手段として、ダンパ装置５６、エアハイドロユニット６３、ストッパ機構７３，８１、吸収機構８２などを設けたが、この構成に限定されるものではなく、また、各種の機構を組み合わせて使用してもよい。実施例１、２、４に実施例３で使用した仮想外周面設定手段としてのレーザセンサ７１及び制御装置７２を付加してもよく、この場合、第２巻取体Ｒ２から受ける衝撃によるペースターローラ４５のはねを更に抑制することができる。
【実施例５】
【００８８】
図１０は、本発明の実施例５に係る紙継装置に使用される巻取体を表す概略図、図１１は、実施例５の紙継装置におけるペースターローラの作動状態を表す概略図である。なお、前述した実施例で説明したものと同様の機能を有する部材には同一の符号を付して重複する説明は省略する。
【００８９】
実施例５の印刷機の給紙装置における紙継装置において、図１０に示すように、巻取体Ｒ２は、ウェブＷ２が所定長さだけ巻き取られて構成されるものであり、周方向における最大半径Ｄの位置からウェブＷ２の引き出し方向（図１０にて矢印Ａ）の上流側に予め設定された所定距離Ｌだけ離間した表面に紙継部としての両面粘着テープＳが設けられている。
【００９０】
即ち、上述したように、第２巻取体Ｒ２は、ウェブＷ２がロール状に巻き取られて形成されているものの、必ずしも外周面が真円形状ではなくて凹凸を有している。そのため、ペースターローラ４５がウェブＷ１を第２巻取体Ｒ２の外周面に押し付けているとき、第２巻取体Ｒ２の凸部がペースターローラ４５に至ると、このペースターローラ４５は、その凸部との接触により弾き飛ばされ、両面粘着テープＳによりウェブＷ１と第２巻取体Ｒ２のウェブＷ２を適正に紙継することができないおそれがある。
【００９１】
そこで、本実施例では、第２巻取体Ｒ２の外周面における最大半径Ｄの位置に凸部９１が形成されているとき、この凸部９１からウェブＷ２の引き出し方向の上流側に所定距離Ｌだけ離間した表面に両面粘着テープＳを貼り付けている。この場合、作業者は、第２巻取体Ｒ２を検査することで外周面における最大半径Ｄの位置する凸部９１を見つけ、この凸部９１からウェブＷ２の引き出し方向の上流側に所定距離Ｌだけ離間した表面に両面粘着テープＳを貼り付けると共に、更に、その上流側でウェブＷ２を切断し、ウェブＷ２の端部を複数のタブＴにより仮止めする。
【００９２】
従って、図１１に示すように、本実施例の紙継装置がウェブＷ１を第２巻取体Ｒ２の外周面に押し付けて紙継ぎを行う対接位置にあるとき、エア給排装置５５によりエアシリンダ５３を作動することで、ペースターアーム５２を回動し、ペースターローラ４５を、ウェブＷ１を支持したままで、第２巻取体Ｒ２の外周面に押し付ける押付位置に移動する。このとき、ペースターローラ４５は、ウェブＷ１を第２巻取体Ｒ２の外周面に押し付けたまま、凸部９１に至る前に第２巻取体Ｒ２の両面粘着テープＳに至ることとなり、ここで、走行するウェブＷ１と第２巻取体Ｒ２におけるウェブＷ２が両面粘着テープＳにより接続され、ウェブＷ１により第２巻取体Ｒ２のウェブＷ２の端部が引かれることで、切れ目からタブが切断され、第２巻取体Ｒ２からウェブＷ２が引き出され、ウェブＷ１とウェブＷ２が一体となって走行し、カッタ４８によりウェブＷ１が切断されることで紙継作業が完了する。
【００９３】
この場合、図１０に二点鎖線で示すように、ペースターローラ４５は、ウェブＷ１を第２巻取体Ｒ２の外周面に押し付けたまま、凸部９１に至る間に、第２巻取体Ｒ２の安定した外周面に沿って転動した状態で両面粘着テープＳに到達するため、ここで適正にウェブＷ１と第２巻取体Ｒ２におけるウェブＷ２を両面粘着テープＳにより接続することができる。その後、ペースターローラ４５が、第２巻取体Ｒ２の凸部９１に到達すると、このペースターローラ４５は第２巻取体Ｒ２の外周面から跳ねて離間してしまう。
【００９４】
このように実施例５の紙継装置にあっては、第２巻取体Ｒ２の外周面における最大半径Ｄの位置に凸部９１が形成されているとき、この凸部９１からウェブＷ２の引き出し方向の上流側に所定距離Ｌだけ離間した表面に両面粘着テープＳを貼り付けている。
【００９５】
従って、ペースターローラ４５がウェブＷ１を第２巻取体Ｒ２の外周面に押し付けたまま、凸部９１に至る前に第２巻取体Ｒ２の両面粘着テープＳに至るため、ここでウェブＷ１と第２巻取体Ｒ２のウェブＷ２を両面粘着テープＳにより接続することができ、第１巻取体Ｒ１からのウェブＷ１を第２巻取体Ｒ２の外周面に適正に押し付けることで、紙継作業を円滑に行うことができる。
【産業上の利用可能性】
【００９６】
本発明に係る紙継装置と印刷機と巻取体は、ウェブを適正に継ぐことで紙継作業の円滑化を図るものであり、いずれの印刷機にも適用することができる。
【図面の簡単な説明】
【００９７】
【図１】本発明の実施例１に係る紙継装置におけるペースターローラを表す概略図である。
【図２】実施例１の紙継装置におけるペースターローラの作動状態を表す概略図である。
【図３】実施例１の紙継装置を表す概略構成図である。
【図４】実施例１の紙継装置の作動状態を表す概略図である。
【図５】実施例１の紙継装置が適用されたオフセット輪転印刷機を表す概略図である。
【図６】巻取体におけるウェブの端部構造を表す概略図である。
【図７】本発明の実施例２に係る紙継装置におけるペースターローラを表す概略図である。
【図８】本発明の実施例３に係る紙継装置におけるペースターローラを表す概略図である。
【図９】本発明の実施例４に係る紙継装置におけるペースターローラを表す概略図である。
【図１０】本発明の実施例５に係る紙継装置に使用される巻取体を表す概略図である。
【図１１】実施例５の紙継装置におけるペースターローラの作動状態を表す概略図である。
【符号の説明】
【００９８】
１１  給紙装置
１２  インフィード装置
１３  印刷装置
１４  乾燥装置
１５  冷却装置
１６  ウェブパス装置
１７  折り装置
１８  排紙装置
２１  紙継装置
３１  主軸
３２ａ，３２ｂ  支持アーム
４３  スライドプレート
４４  駆動モータ
４５  ペースターローラ（押付部材）
４８  カッタ
５１  支持軸
５２  ペースターアーム（押付アーム）
５３  エアシリンダ（ローラ移動手段、流体シリンダ）
５５  エア給排装置
５６  ダンパ装置（跳ね抑制手段）
６１  油圧シリンダ（ローラ移動手段、流体シリンダ）
６３  エアハイドロユニット（跳ね抑制手段）
６４  エア給排装置
７１  レーザセンサ（跳ね抑制手段、仮想外周面設定手段）
７２  制御装置（跳ね抑制手段、仮想外周面設定手段）
７３，８１  ストッパ機構（跳ね抑制手段、位置決め手段）
８２  吸収機構（跳ね抑制手段）
９１  凸部
Ｒ１  第１巻取体
Ｒ２  第２巻取体
Ｗ１  ウェブ
Ｗ２  ウェブ
【図１】
2008214049.tif 000003
【図２】
2008214049.tif 000004
【図３】
2008214049.tif 000005
【図４】
2008214049.tif 000006
【図５】
2008214049.tif 000007
【図６】
2008214049.tif 000008
【図７】
2008214049.tif 000009
【図８】
2008214049.tif 000010
【図９】
2008214049.tif 000011
【図１０】
2008214049.tif 000012
【図１１】
2008214049.tif 000013